(57)【要約】      （修正有）【課題】押し板のレール摺動部を長く形成しても、容易且つ確実に押し板とレール部との係合を可能にする商品ディスペンサー装置の提供。【解決手段】商品４を陳列するケース２と、前記商品４の押し出し方向に沿って形成されるレール部５と、前記レール部５に摺動可能に係合するレール摺接部を有する押し板１０と、前記押し板１０を前記レール部５に沿って前記商品４の押し出し方向へ付勢するばね１１とを有して構成される商品ディスペンサー装置１であって、前記レール部５と連通すると共に、前記レール摺接部が挿通可能な着脱開口部１５が設けられている。【選択図】図１
0003118700.tif 000002
【実用新案登録請求の範囲】
【請求項１】
商品を陳列するケースと、前記商品の押し出し方向に沿って形成されるレール部と、前記レール部に摺動可能に係合するレール摺接部を有する押し板と、前記押し板を前記レール部に沿って前記商品の押し出し方向へ付勢するばねとを有して構成される商品ディスペンサー装置であって、
前記レール部と連通すると共に、前記レール摺接部が挿通可能な着脱開口部が設けられていることを特徴とする商品ディスペンサー装置。
【請求項２】
前記レール部及び前記着脱開口部は、前記ケースに形成された所定の形状を有する切欠きにより構成される請求項１記載の商品ディスペンサー装置。
【請求項３】
前記着脱開口部は、前記レール摺接部が挿入可能な形状が、前記レール部の長手方向に対して所定の角度で設定された形状である請求項２記載の商品ディスペンサー装置。
【請求項４】
前記着脱開口部は、前記レール部の後方部に形成され前記押し板を係止するための係止段差よりも後方に形成されている請求項３記載の商品ディスペンサー装置。
【考案の詳細な説明】
【技術分野】
【０００１】
本考案は、陳列された商品を後方から前方へ押し出す働きをし、商品を取り出す毎に後方から残りの商品を押し出す商品ディスペンサー装置に関する。
【背景技術】
【０００２】
陳列商品の押し出し装置（商品ディスペンサー装置）として、様々な構造が開示されている。例えば、特許文献１においては、商品を押し出す手段として渦巻状の板ばねを用いて商品保持具を前方へスライドさせて、商品を前方へ順次押し出す構造が開示されている。また、本願出願人は、上記特許文献１に記載の構造の問題点を解決するものとして、特許文献２、特許文献３に開示される構造を開発しており、これらの文献において、レール部と、レール部に摺動可能に係合する押し板と、押し板をレール部の一端側へ向かって付勢するばねとを有し、ばねにより前方に加圧される押し板により、商品を前方に押し出す基本的な構造が開示されている。
【０００３】
上記従来構造においては、商品を収納するケースと、商品を押し出す機構とが別体をなしており、ケースとレール部とが別部材により構成されている。しかし、近年における陳列商品の押し出し装置の大量生産の要請に伴い、ケースとレール部とを射出成型により一体化して作製することが望まれている。このようなレールと一体型のケースを用いる場合、レール部の端部に押し板を挿通させる開口部を形成することができなかったため、図９（ａ），（ｂ）に示すように、押し板１００をレール部１０１に係合する際には、先ず押し板１００の下端部に形成されレール部１０１と摺接するレール摺接部１０２を、レール１０１部内に斜めに挿入し、次いで矢印の方向に押し板１００を回転させることにより、押し板１００及びレール部１０１の撓みを利用して押し板１００とレール１０１部とを係合させていた。
【特許文献１】特開昭５９−２１８１１３
【特許文献２】特開２００５−２３７５６６号公報
【特許文献３】実用新案登録第３１１５２８９号公報
【考案の開示】
【考案が解決しようとする課題】
【０００４】
しかしながら、上記従来方法においては、レール摺接部１０２の長さＸを、押し板１００及びレール部１０１の撓みの許容範囲内でしか長くできないため、押し板１００がレール部１０１に対して回動するような動き、即ちガタが生じやすく、押し板１００の摺動性が悪くなるという不具合があった。
【０００５】
そこで、本考案は、押し板の摺動性を改善すると共に、容易且つ確実に押し板とレール部との係合を可能にすることを課題とするものである。
【課題を解決するための手段】
【０００６】
上記課題を解決するために、本考案は、商品を陳列するケースと、前記商品の押し出し方向に沿って形成されるレール部と、前記レール部に摺動可能に係合するレール摺接部を有する押し板と、前記押し板を前記レール部に沿って前記商品の押し出し方向へ付勢するばねとを有して構成される商品ディスペンサー装置であって、前記レール部と連通すると共に、前記レール摺接部が挿通可能な着脱開口部が設けられていることを特徴とするものである（請求項１）。
【０００７】
この構成によれば、押し板をレール部に係合させる際には、押し板のレール摺接部を着脱開口部に挿通させた後、この着脱開口部からレール部へ押し板を移動させる。また、押し板をレール部から離脱させる際には、レール部と係合している押し板を着脱開口部まで移動させた後、この着脱開口部から押し板を離脱させる。これにより、押し板をレール部に着脱させる際に、従来のようにレール部とレール摺接部を撓ませる必要がないので、レール摺接部を長く形成しても容易且つ確実に押し板を着脱させることができ、押し板の安定した摺動性を実現することができる。
【０００８】
また、上記請求項１記載の構成において、前記レール部及び前記着脱開口部は、前記ケースに形成された所定の形状を有する切欠きにより構成されることが好ましい（請求項２）。
【０００９】
このように構成することにより、レール部及び着脱開口部が一体に形成されたケースを、射出成型により作製することができるので、安定した摺動性を有する装置を低コストにて大量に生産することが可能となる。
【００１０】
また、上記請求項２記載の構成において、前記着脱開口部は、前記レール摺接部が挿入可能な形状が、前記レール部の長手方向に対して所定の角度で設定された形状であることが好ましい（請求項３）。
【００１１】
この構成によれば、押し板を係合させる際には、先ず押し板をレール部に対して所定の角度回転させた状態にして着脱開口部に挿入し、その後押し板をレール部と平行になるように回転させてからレール部内にスライドさせていく。これにより、一度レール部に係合した押し板は、着脱開口部において逆回転しない限り、レール部から離脱することはなく、ばねが固定されている限り、押し板が回転することはほぼあり得ないので、確実な係合を実現することができる。
【００１２】
また、上記請求項３記載の構成において、前記着脱開口部は、前記レール部の後方部に形成され前記押し板を係止するための係止段差よりも後方に形成されていることが好ましい（請求項４）。
【００１３】
着脱開口部の形成位置は、レール部の後端部又はその近傍であることが、使用上好ましく、特に係止段差よりも後方であることにより、押し板の離脱が不意に起こる可能性が更に低くなる。
【考案の効果】
【００１４】
上記本考案によれば、押し板をレール部に着脱させる際に、従来のようにレール部とレール摺接部を撓ませる必要がないので、レール摺接部を長く形成しても容易且つ確実に押し板を着脱させることができ、押し板の安定した摺動性を実現することができる。また、レール部及び着脱開口部が一体に形成されたケースを、射出成型により作製することができるので、安定した摺動性を有する装置を低コストにて大量に生産することが可能となる。
【考案を実施するための最良の形態】
【００１５】
以下、添付した図面を参照して本考案の実施例を説明する。図１に示す本実施例に係る商品ディスペンサー装置１は、ケース２と前出し器具３とから構成される。ケース２は、例えば透明の樹脂材からなる矩形状の部材であり、たばこ等の任意の商品４が収納される。前出し器具３は、ケース２の底面部に摺動可能に固定され、商品４を前方へ押し出す作用を奏するものである。
【００１６】
ケース２は、商品４の形状及び収納量に応じて適宜の大きさに形成され、その上面が開口されると共に、底面にレール部５、係止段差６、ばね固定部７、着脱開口部１５が形成されている。レール部５は、ケース２底面のほぼ中央部に長手方向、即ち商品の配列方向に沿って形成された溝状の開口部であり、前出し器具３の一部を構成する押し板１０を摺動可能に係合する部分である。係止段差６は、レール部５の後端近傍部に形成された段差であり、商品４の収納時等に押し板１０を係止させておくための部分である。ばね固定部７は、前出し器具３の一部を構成するばね１１の一端部を固定する部分である。着脱開口部１５は、押し板１０をレール部５に係合させる際、及びレール部５から離脱させる際の入口又は出口となる部分である。
【００１７】
前出し器具３は、図１及び図２に示すように、押し板１０とばね１１とから構成される。押し板１０は、最後部に位置する商品４と当接し、ばね１１の力により商品４全体を前方へと加圧するものである。ばね１１は、巻きぐせが付けられた渦巻状の板ばねであり、図２及び図３に示すように、その巻回部１１ａが押し板１０の背面側に配されると共に、その一端部１１ｂがケース２のばね固定部７（図１参照）に固定されることにより、押し板１０を前方へと加圧する。
【００１８】
押し板１０は、全体が樹脂製の材料からなる部材であり、図４に示すように、前面部２０、背面部２１、レール摺接部２３、補強部２４、下片部２６、ばね挿通溝２７を有して構成されている。前面部２０は、商品４と対面する面であり、商品４の陳列時に最後部の商品４と当接する。
【００１９】
レール摺接部２３は、ケース２に形成されたレール部５と嵌合する凹形状の部分であり、レール部５の上面側と摺接する上面摺接部３０と、レール部５の下面側と摺接する下面摺接部３１とを有している。本実施例においては、下面摺接部３１は、図４（ｅ）に示すように、長手方向の長さａが上面摺接部３０と同等であり、短手方向の長さｂが上面摺接部３０よりも短く形成されている。
【００２０】
補強部２４は、背面部２１に立設された２枚のほぼ扇状の部材であり、これら２枚の補強部２４の間に画成される空間３２に、上記したばね１１の巻回部１１ａが配置される。下片部２６は、２枚の補強部２４間に画成された空間３２の下端近傍部に、背面部２１から立設された部分である。ばね挿通溝２７は、下片部２６よりも下方で且つ押し板１０の最下端部より上方に形成された溝状の通孔である。
【００２１】
着脱開口部１５は、図５に示すように、レール部５の最後部と連通すると共にレール部５の長手方向の延長線に対して４５°傾けられたほぼ四角形状を有しており、その長辺部１６の長さｅは、押し板１０の両下面摺接部３１間の長さｃ（図４（ｅ）参照）よりも長く且つ両上面摺接部３０間の長さｄよりも短く形成され、短辺部１７の長さｆは、前記長さａ（図４（ｅ）参照）よりも若干長く形成されている。また、長辺部１６及びこれと対面する辺１８には、押し板１０のレール摺動溝２３が当接しないようにするため（以下、図６（ｂ）において説明する）の湾曲部１９ａ，１９ｂが形成されている。尚、この着脱開口部１５のレール部５に対する傾き角度（４５°）は、±４０°程度の範囲で任意に設定可能である。
【００２２】
上記押し板１０をレール部５に係合させる際には、先ず図６（ａ）に示すように、着脱開口部１５に押し板１０の下面摺接部３１を挿入し、次いで図６（ｂ）に示すように、押し板１０を、下面摺接部３１がケース２の裏側へ行くように、またレール摺接部２３が湾曲部１９ａ，１９ｂに沿って回るように矢印の方向に回転させる。そして、図６（ｃ）に示すように、押し板１０がレール部５と平行に（押し板１０の前面部２０が前方を向くように）なったら、図６（ｄ）に示すように、押し板１０をレール部５内に挿通し、ばね１１の一端部１１ｂ（図２参照）をレール部５前方の端部のばね固定部７に固定する。また、商品４をケース２内に収納する時等には、図７（ａ），（ｂ）に示すように、押し板１０を係止段差６に係止させる。
【００２３】
上記構成により、一度レール部５に係合した押し板１０は、着脱開口部１５において４５°回転しない限りレール部５から離脱することはなく、ばね１１が固定されている限り、不意に押し板１０がレール部５から離脱することはあり得ない。
【００２４】
また、上記構成によれば、下面摺接部３１のレール部５の長手方向に沿う長さａ（図４（ｅ）参照）が、上面摺接部３０と同等の長さであっても、容易且つ確実に、押し板１０をレール部５に係合させることができる。これにより、図８（ａ）に示すように、押し板１０がレール部５に対して傾く角度αが、図８（ｂ）に示す従来の構造における角度βよりも小さくなるので、レール摺接部２３とレール部５との間で傾いた時の復元量が小さくなり復元時間も短くなり、摩擦抵抗が均一化され軽減できる。また、図８（ｃ）に示すように、押し板１０の前倒れ角度γが、図８（ｄ）に示す従来の前倒れ角度Δよりも小さくなるので、前記角度αと同様の作用効果が得られる。
【００２５】
尚、本実施例においては、ケース２にレール部５及び着脱開口部１５が一体に形成された構成を示したが、本発明はこれに限られるものではなく、例えばレール部５と着脱開口部１５とがケース２と別部品からなる場合であっても、適応されるものである。また、レール部５がケース２の底面に形成された構成を示したが、本発明はこれに限られるものではなく、レール部５が、ケース２の側面や傾斜された底面に形成された場合であっても、適応されるものである。
【図面の簡単な説明】
【００２６】
【図１】本考案の実施例を示す斜視図である。
【図２】前出し器具の構造を示す斜視図である。
【図３】前出し器具の構造を示す側面図である。
【図４】（ａ）は押し板の正面図であり、（ｂ）は押し板の側面図であり、（ｃ）は押し板の背面図であり、（ｄ）は押し板の上面図であり、（ｅ）は押し板の底面図である。
【図５】着脱開口部の構造を示す図である。
【図６】（ａ），（ｂ），（ｃ），（ｄ）は、押し板を着脱開口部からレール部へ係合させる手順を示す図である。
【図７】（ａ）は押し板を係止段差に係止させた状態を示す上面図であり、（ｂ）は同状態を示す側面図である。
【図８】（ａ）は本考案において押し板がレール部に係合している状態を示す図であり、（ｂ）は従来構造において押し板がレール部に係合している状態を示す図であり、（ｃ）は本考案において押し板がレール部に係合している状態を示す図であり、（ｄ）は従来構造において押し板がレール部に係合している状態を示す図である。
【図９】従来構造において押し板をレール部に係合させる手順を示す図である。
【符号の説明】
【００２７】
１  商品ディスペンサー装置
２  ケース
３  前出し器具
４  商品
５  レール部
６  係止段差
７  ばね固定部
１０  押し板
１１  ばね
１１ａ  巻回部
１１ｂ  一端部
１５  着脱開口部
【図１】
0003118700.tif 000003
【図２】
0003118700.tif 000004
【図３】
0003118700.tif 000005
【図４】
0003118700.tif 000006
【図５】
0003118700.tif 000007
【図６】
0003118700.tif 000008
【図７】
0003118700.tif 000009
【図８】
0003118700.tif 000010
【図９】
0003118700.tif 000011